(57)【特許請求の範囲】
【請求項１】
軸の周りを回転自在である回転自在の部品、
前記軸の周りに設けられた環状の溝を含んでいる不動の部品であって、更に前記軸の周りに設けられた少なくとも１つの軸方向を向いた位置決め用フランジを含み、該フランジが前記溝に開口するスロットを部分的に画成している不動の部品、
複数の大体環状のセグメントであって、各々のセグメントが、円弧状のシール面、前記溝の中に配置された少なくとも１つの軸方向を向いたフランジ、および前記スロットの中に配置され且つ該フランジと該シール面とを相互接続する首部を持っており、当該複数のセグメントの内の特定のセグメントが前記軸に対して半径方向外側位置と半径方向内側位置との間を移動可能である複数の大体環状のセグメント、並びに
前記複数のセグメントの内の、前記特定のセグメントとは異なるセグメントであって且つ前記不動の部品の対向するそれぞれの側部に配置された一対のセグメントの各々と、前記不動の部品との間を係合する支持手段であって、前記一対のセグメントが前記内側位置と前記外側位置との間で前記軸を通る垂直な平面の方へ近づきまた該平面から離れる向きにほぼ水平方向に移動できるように、前記一対のセグメントを支持する支持部材、
を有し、
前記不動の部品は水平な中間線で一緒に接合された上側および下側ハウジングを含み、前記一対のセグメントは前記不動の部品の前記下側ハウジング内に配置されていて、それらの間には別のセグメントが配置されており、前記支持部材は、前記特定のセグメントが前記半径方向外側位置にあり且つ前記一対のセグメントが前記外側位置にあるとき、前記一対のセグメントの下端と前記別のセグメントの対向端との間にギャップを保つように構成されていることを特徴とする回転機械。
【請求項２】
前記支持部材は前記一対のセグメントのそれぞれの外面に固定されたそれぞれのブラケットを有し、該ブラケットは該セグメントの外側へ突き出す支持要素を持ち、前記不動の部品は前記支持要素を受けて支持する凹部を有し、前記支持要素は前記回転自在の部品に対してほぼ水平方向に摺動可能である請求項１記載の回転機械。
【請求項３】
前記一対のセグメントの各々のセグメントはその外面に沿って平坦部を持ち、前記支持部材は、前記平坦部に固定された１つの脚部および該セグメントの外側へ突き出す別の脚部を持つ角ブラケットを有し、前記不動の部品は前記別の脚部を受けて支持する凹部を有し、前記別の脚部は前記垂直な平面の方へ近づきまた該平面から離れる向きに前記凹部に対してほぼ水平方向に摺動可能である請求項１記載の回転機械。
【発明の詳細な説明】
【０００１】
【発明の属する技術分野】
本発明は一般に蒸気タービンのような回転機械の回転部品と不動の部品との間のシールに関するものであり、更に詳しくは正圧可変隙間パッキング・リング・セグメントであって、不動の部品の溝に沿って該セグメントが円周方向下向きに滑るのを防止すると共に、該セグメントが回転部品の方へ向かい且つ該回転部品から離れるように、すなわち回転部品に対して隙間の大きい位置と隙間の小さい位置との間を移動できるようにする案内部材を設けた正圧可変隙間パッキング・リング・セグメントに関するものである。
【０００２】
【発明の背景】
蒸気タービンのような回転機械では、回転部品と不動の部品との間にシールが設けられる。例えば、蒸気タービンでは、複数の円弧状のシール・リング・セグメントを用いて、回転部品と不動の部品との間にラビリンス・シールを形成するのが普通である。典型的には、複数の円弧状のシール・リング・セグメントは機械の回転軸と同心に、従って回転部品のシール面に同心に、不動の部品中の環状の溝に配置される。各々の円弧状のシール・リング・セグメントは、回転部品のシール面と対向するシール面を有する。ラビリンス・シールにおいては、セグメントのシール面は軸方向に間隔を置いて設けられた半径方向を向いた歯の配列を支持し、これらの歯は、回転部品のシール面を構成する軸方向に間隔を置いて設けられた環状の溝の配列から半径方向に隔たっている。この代わりに、回転部品はシール面上の歯の配列に半径方向に対向して滑らかな面を有するようにしてもよい。シール機能は、作動流体、例えば蒸気がシール面の歯と回転部品の対向する面とによって画成されたラビリンス内の比較的緊密な隙間を通過するときに、蒸気の乱流が生じることによって達成される。
【０００３】
装着のため、典型的には、環状の溝はダブテール（鳩尾）形になっており、互いの方へ向かって軸方向に延在する一対の位置決め用フランジを持ち、これらの一対の位置決め用フランジの間にスロットを画成している。不動の部品（例えば、ハウジングまたはケーシング）は、典型的には、ほぼ水平に伸びる中間線に沿って長さ方向に分割されて、不動のハウジングの上側および下側半部を有する。こうして形成された半円の環状の溝のそれぞれが円弧状のシール・リング・セグメントの部分を受け入れる。シール・リング・セグメントも同様にダブテール形であって、ダブテール形の溝の中に配置するための、互いから離れる向きに軸方向に延在する一対の位置決め用フランジ、および溝の一対の位置決め用フランジによって画成されたスロットに通すための、セグメントのシール面とフランジとを接続する首部を有する。首部は、セグメントが装着されているとき、溝の半径方向内側に円弧状のシール面を支持する。
【０００４】
正圧可変隙間パッキング・リング・セグメントでは、セグメントは典型的には外側位置すなわち隙間の大きい位置へバネでバイアスされていて、セグメントのシール面は実質的に回転部品の外側に隔たっている。このため、例えば機械の始動時に、バネがセグメントを半径方向外向きに変位させる。始動後、作動流体、例えば蒸気が不動の部品の溝の中に流入して、セグメントをバネのバイアスに抗して内側位置すなわち隙間の小さい位置へ向かって内向きに動かすように作用する。セグメントが始動時および運転停止時にバネによって隙間の大きい位置へ後退するとき、隣接するセグメントの端面相互間のギャップはより大きく増大する。逆に、セグメントが内向きに変位したとき、セグメントの端面相互間のギャップはほぼ全閉位置まで減少し、セグメントの直径が最小になる。セグメントの内向きおよび外向きの移動に対処するため、不動の部品の溝内に滑りばめ又はピストンばめの構成で配置される。
【０００５】
回転機械（例えば、蒸気タービン）が例えば始動前の休止状態にあるとき、セグメントは、それらの最も半径方向外側の位置にあって、不動の部品の円周方向の溝に沿って重力の作用の下に下向きに摺動することが判明した。その結果として、上側ハウジング内のセグメントの端面相互間のギャップが大きくなるのに対して、下側のセグメントは互いに接近して、端面同士が突き合わさるようになる。例えば、６つのセグメントが回転機械内に設けられている場合、典型的には、３つのセグメントが不動のケーシングの上側ハウジング内に配置され且つ３つのセグメントが下側ハウジング内に配置され、すなわち機械のケーシングの水平な中間線すなわち分割線の上側および下側にそれぞれ３つずつセグメントが配置される。始動前において、上側ハウジング内の側部セグメントおよび下側ハウジング内の側部セグメントが重力の作用の下で摺動して、下側ハウジングの側部セグメントが下側ハウジング内の最も下側の中央セグメントと係合すると共に、上側ハウジング内の最も上側のセグメントと上側ハウジングの側部セグメントの一方または両方との間に現れる端面相互間のギャップまたは隙間が大きくなることがある。
【０００６】
セグメントは、始動時、流体圧力の下にそれらの半径方向外側位置から半径方向内側位置へ移動するように設計されている。重力の効果のため、セグメントは順々に移動する傾向がある。最初、最も上側のセグメントが半径方向内向きに移動し、次いで上側ハウジングの側部セグメントが移動する。次いで下側ハウジングの側部セグメントが半径方向内向きに移動し、最後に最も下側のセグメントが移動する。しかしながら、セグメントは重力によって不動の部品の溝に沿って円周方向に変位するので、不動の部品の下側ハウジングの側部セグメントの内向きの移動は、本質的に半径方向上向きであり、従って最も下側のセグメントの半径方向内向きの移動を妨害または阻止する。すなわち、最も下側のセグメントを半径方向内向きに変位させようとする流体圧力の力は、下側ハウジングの側部セグメントを大体円周方向上向きに変位させるのに不十分であり、従って最も下側のセグメントをその最も半径方向内側の位置へ移動させることが出来ない。この結果、最も下側のセグメントはその設計上の半径方向内側位置から半径方向にずれた位置に留まり、そのシール面と回転部品との間に所望の隙間よりも大きい隙間が生じる。
【０００７】
従来、シール・セグメントに作用する重力に対処するための種々の試みがなされた。例えば、特許文献１および特許文献２を参照されたい。後者の特許では、下側ハウジング内のシール・セグメントに上向きのバイアス力を加える、いわゆる重力バネが不動の部品内に配置されている。これらの重力バネはシール・セグメントに、それらのそれぞれの両端の間で、それらの重力の中心に係合する。シール・セグメントには、更に、水平な中間線近くの端面間と共に隣接する端面間に円周方向バネが設けられている。回転防止キーがケーシングの中間線で上側および下側ハウジングに固定され、円周方向バネが回転防止キーに対して支持される。この結果、シール・セグメントはそれらの両端間のバネによって外向きにバイアスされると共に、流体圧力の力によって内向きにバイアスされる。シール・セグメントが内向きに移動するとき、重力バネはセグメントが殆どまたは全く重さを持たないように機能して、下側のシール・セグメントが閉じた内側位置まで移動できるようにする。従って、下側のシール・セグメントは、それらの対向する円周方向の力および重力バネの力によって浮遊していると考えられ、この様なセグメントは半径方向内向きおよび外向きに移動する。また、回転防止キーに対して支持される端部の円周方向バネは、溝内で円周方向に変位させるために下側のシール・セグメントをバイアスする。これに対し。本発明では、下側の側部セグメントの円周方向の変位を防止し、内側位置と外側位置との間での下側の側部セグメントの移動または運動を、半径方向ではなく、水平方向にする。
【特許文献１】
米国特許第５，４６４，２２６号
【特許文献２】
特表平７−５０４４８５号
【０００８】
【発明の開示】
本発明によれば、ケーシングの下側ハウジング内の側部セグメントの各々に、該側部セグメントを支持し、重力の下での該側部セグメントの円周方向の変位を防止し、また該側部セグメントを隙間の大きい外側位置と隙間の小さい内側位置との間で水平方向に摺動可能にする案内部材が設けられる。好ましい態様では、案内部材は角ブラケットを有し、その一方の脚部が回転機械の中間線近くの側部セグメントの端に隣接した側部セグメントの外面に固定される。ブラケットのほぼ水平方向に突き出す他方の脚部が、不動の部品の内面に形成された凹部内に受け入れられて、不動の部品によって支持されたストッパ上に載置される。ストッパは、回転機械の下側ハウジングの溝内での側部セグメントの円周方向下向きの変位を防止し、これにより隣り合うパッキング・セグメントの突合せ端部間の隙間を保つ。
【０００９】
ブラケットはまた、側部セグメントが回転機械の軸を通る垂直な平面の方へ近づきまた該平面から離れる向きにほぼ水平方向に移動できるように、側部セグメントを支持する。従って、各々の側部セグメントは回転部品へ近づきまた該平面から離れる向きに水平方向に１つのユニットとして動く。下側の側部セグメントを半径方向に変位させるのではなく水平方向に変位させるようにしたことにより、回転部品と下側の側部セグメントの両端のシール面との間のそれぞれの隙間が僅かに異なることが理解されよう。しかしながら、この差は、機械の下側の側部に沿ったラビリンス・シールの完全さを損なうほどには大きくない。下側の側部セグメントの円周方向の変位を防止することによる有利な点は、下側ハウジングの最も下側のセグメントが始動後にその設計上の最も半径方向内側の位置まで半径方向内向きに、例えば上向きに、変位できることである。
【００１０】
本発明による好ましい態様では、軸の周りを回転自在である回転自在の部品を有し、また前記軸の周りに設けられた環状の溝、前記軸の周りに設けられて、前記溝に開口するスロットを部分的に画成する少なくとも１つの軸方向を向いたフランジ、およびストッパを含んでいる不動の部品を有する回転機械において、該不動の部品内に配置されたセグメントの円周方向の変位を防止する装置が提供される。該装置は、機械の軸の周りに配置される複数の環状のセグメントの内の１つのセグメントを形成し且つ不動の部品の溝内に部分的に配置されるセグメント本体を有する。該セグメント本体は、円弧状のシール面、前記溝の中に配置される少なくとも１つの軸方向を向いたフランジ、および前記スロットの中に配置され且つ該フランジと該シール面とを相互接続する首部を有する。前記装置は更に、前記セグメント本体によって支持され且つ前記セグメント本体のほぼ外側に突き出して、不動の部品によって支持されたストッパと係合し、もって前記セグメント本体の前記溝に沿った円周方向の変位を防止する部材を有する。
【００１１】
本発明による別の好ましい態様では、（１）軸の周りを回転自在である回転自在の部品、（２）前記軸の周りに設けられた環状の溝を含んでいる不動の部品であって、前記軸の周りに設けられた少なくとも１つの軸方向を向いた位置決め用フランジを含み、該フランジが前記溝に開口するスロットを部分的に画成している不動の部品、（３）複数の大体環状のセグメントであって、各々のセグメントが、円弧状のシール面、前記溝の中に配置された少なくとも１つの軸方向を向いたフランジ、および前記スロットの中に配置され且つ該フランジと該シール面とを相互接続する首部を持っており、当該複数のセグメントの内の特定のセグメントが前記軸に対して半径方向外側位置と半径方向内側位置との間を移動可能である複数の大体環状のセグメント、並びに（４）前記複数のセグメントの内の、前記特定のセグメントとは異なるセグメントであって且つ前記不動の部品の対向するそれぞれの側部に配置された一対のセグメントの各々と、前記不動の部品との間を係合する支持手段であって、前記一対のセグメントが前記内側位置と前記外側位置との間で前記軸を通る垂直な平面の方へ近づきまた該平面から離れる向きにほぼ水平方向に移動できるように、前記一対のセグメントを支持する支持部材、を有している回転機械が提供される。
【００１２】
本発明による更に別の好ましい態様では、（１）軸の周りを回転自在である回転自在の部品、（２）大体水平な中間線で互いに接合された上側および下側ハウジングで構成され、前記軸の周りに設けられた環状の溝を含んでいる不動の部品であって、前記軸の周りに設けられ且つ互いの方へ向かって軸方向に延在する一対の軸方向を向いた位置決め用フランジを含み、該フランジが前記溝に開口するスロットを部分的に画成している不動の部品、（３）前記上側および下側ハウジングの各々の中に少なくとも３っずつ配置されていて、前記回転自在の部品の周りに円周方向に延在するシール・リングを形成する複数の大体環状のセグメントであって、各々のセグメントが、円弧状のシール面、前記溝の中に配置されていて、互いから離れる向きに軸方向に延在する一対の軸方向を向いたフランジ、および前記スロットの中に配置され且つ該フランジと該シール面とを相互接続する首部を持っており、当該複数のセグメントは前記回転自在の部品に対して隙間の大きい外側位置と隙間の小さい内側位置との間を移動可能である複数の大体環状のセグメント、並びに（４）前記下側ハウジングの対向するそれぞれの側部に配置された一対のセグメントの各々と、前記下側ハウジングとの間を係合する支持手段であって、前記一対のセグメントが前記溝内で重力の下に円周方向に変位するのを防止すると共に、前記一対のセグメントが前記内側位置と前記外側位置との間で前記軸を通る垂直な平面の方へ近づきまた該平面から離れる向きにほぼ水平方向に移動できるように、前記一対のセグメントを支持する支持部材、を有している回転機械が提供される。
【００１３】
従って、本発明の主な目的は、不動の部品および回転部品を有し、不動の部品の周りの環状のシール・セグメントが重力により円周方向に変位するのを防止し、これによりセグメントが噛み合うよりはむしろ回転部品の周りに接近して有効なシールを構成し、且つシールの閉鎖を防止するようにした新規で改良した回転機械を提供することである。
【００１４】
【発明の実施の形態】
図面を参照して説明すると、図１には、例えばタービン・ハウジング１４のような不動の部品内に配置された、例えばタービン・シャフト１２のような回転部品を含む、例えば蒸気タービン１０のような回転機械の一部が示されている。シャフト１２はハウジング１４内に通常の手段（図示していない）によって回転自在に支持されている。複数のシール・リング１８、２０および２２を含む多段ラビリンス・シール１６がシャフト１２の周りに配置されて、高圧区域２８と低圧区域３０とを分離する。各々のシール・リングは環状に配列した複数の円弧状のセグメント３２で構成されている。一般に、ラビリンス・シール１６は、高圧区域２８から低圧区域３０への蒸気の流れに対して比較的多数の部分的障壁を配置することによって機能する。各々の障壁は、シャフト１２の軸に平行に流れようとする蒸気を、強制的に蛇行させて、これにより圧力降下を生じさせる。例えば図３に最も良く示されているように、シール・リングの各々のセグメント３２はシール面３４を有し、そこから半径方向の歯３６が突き出している。シール面３４は、互いから離れる向きに軸方向に延在する一対のフランジ３８によって形成されている。用途によっては、フランジは１つだけ必要な場合もあることを理解されたい。セグメント３２の外側部分は、互いから離れる向きに軸方向に延在する位置決め用フックまたはフランジ４０を含む。図２に示すように、不動の部品、例えばタービン・ハウジング１４は、シールの各々の位置でダブテール（鳩尾）形の環状溝４２を有している。環状溝４２は、互いの方へ向かって軸方向に延在する一対の位置決め用フランジ４４によってハウジング１４の最も半径方向内側部分に沿って位置決めされている。一対の位置決め用フランジ４４はそれらの間にスロット４６を画成する。各セグメント３２の首部４８が位置決め用フランジまたはフック４０とシール面３４とを相互接続していて、スロット４６の中に延在する。
【００１５】
セグメント３２は、好ましくは、始動時における回転部品たとえばタービン・シャフトの周りの隙間の大きい最も外側の開位置と高速運転時における隙間の小さい最も内側の閉位置との間を移動し得る正圧可変隙間パッキング・リング・セグメントで構成される。セグメントは、その位置決め用フックまたはフランジ４０と不動のハウジング１４の位置決め用フランジ４４との間に配置されたバネ（図示していない）によって、最も外側の最大直径の開位置まで動かされる。セグメントをより直径の小さい閉位置へ変位させるため、セグメントまたは不動の部品に複数の通路（図示していない）が設けられ、これらの通路は溝４２の中にセグメントの外面に沿って流体（例えば、蒸気）を導入し、これによりバネのバイアスに逆らってセグメントを回転部品の方へ内向きに変位させる。この種の正圧可変隙間パッキング・リング・セグメントは当該分野において知られているものであり、例えば、米国特許第４，３７，０６８号に図示し説明されている。
【００１６】
次に図２、４および５を参照して説明すると、図にはシール・リングの上側および下側の側部セグメント３２Ｕおよび３２Ｌがケーシングの上側および下側ハウジング１４Ｕおよび１４Ｌと共に示されている。下側の各々の側部セグメント３２Ｌが回転部品に対して開位置にあるときに該側部セグメント３２Ｌを重力により円周方向に変位しないように支持するために、平坦部５０および凹部５２が、位置決め用フック４０相互間の側部セグメント３２Ｌの外面の、該側部セグメントの上端近くの部分に設けられている。更に、溝５４が、不動のハウジング１４Ｕおよび１４Ｌの間の水平な中間線に隣接して、ハウジング１４Ｌの内面に沿って形成されている。溝５４はストッパまたは棚５６を構成する。支持部材５８が、側部セグメント３２Ｌと不動の部品の下側ハウジングとの間に係合する。好ましい実施態様では、支持部材５８は、直角な脚部６０および６２を持つ角ブラケットで構成される。脚部６０は、下側の側部セグメント３２Ｌの上端部にブラケットを固定するためのボルト６４を受け入れる。脚部６０の内面に沿った突起６６が、ブラケットを安定化するために、側部セグメント３２Ｌの凹部５２内に係合する。ブラケットの他方の脚部６２には押しネジ６８が設けられおり、押しネジは脚部６２の下面の下へ延在してストッパ５６に係合する。図２およびその説明から、支持部材（ブラケット）５８は、側部セグメント３２Ｌが下側ハウジング１４Ｌの対向する側面に沿って溝４２内で円周方向下向きに変位しないように側部セグメント３２Ｌ全体を支持することが理解されよう。押しネジ６８は通常の製造許容差を補償し、これにより種々のセグメント３２が全く同じ長さでなくてもよい。
【００１７】
ところで、各々のブラケットすなわち支持部材５８は、タービンのロータのような回転部品に対して関連する側部セグメント３２Ｌが水平方向に摺動できるように配置されている。従って、下側ハウジング１４Ｌの対向する側部にある側部セグメント３２Ｌは、隙間の最も大きい最も外側の位置と隙間の最も小さい最も内側の位置との間で、シャフトの軸を通る垂直な平面の方へ近づきまた該平面から離れる向きに水平方向に移動し得る。このようにブラケットすなわち支持部材５８は水平方向に移動するが、半径方向には移動しない。水平方向の移動は、不動の部品の両方の上側および下側ハウジングの中の回転部品の周りの残りのセグメントの半径方向の移動とは対照的である。
【００１８】
図２に示されているように、上側および下側の側部セグメント３２Ｕおよび３２Ｌの端面同士は突き合わされる。これらの対向する端面に形成されたスロット７２の中にさね７０が挿入されて、側部セグメント３２Ｕおよび３２Ｌを互いに円周方向に整列した状態に保つ。側部セグメント３２Ｌでさねとスロットとの間に設けられた隙間のため、セグメントおよびさねを形成する材料の摩擦係数に応じて、上側ハウジング１４Ｕの運動は小さな水平方向の成分を有し得る。
【００１９】
また図２に示されているように、板８０が、中間線に隣接した上側ハウジング１４Ｕの直径方向に対向する各々の側部の内面に沿って形成された凹部８２の中に固定されている。板８０は、ボルトによって固定されていて、上側の側部セグメント３２Ｕの下端部に沿って形成されたスロット８６の中まで内向きに突き出している。板８０は、この種のパッキング・リングにおいて従来用いられているものであり、上側ハウジング１４Ｕを取り外すときに側部セグメント３２Ｕに係合し、これにより上側ハウジング１４Ｕを下側ハウジング１４Ｌから取り外すときに上側ハウジング１４Ｕ内のセグメントが脱落するのを防止する。
【００２０】
ここで図６を参照すると、上側ハウジング１４Ｕおよび下側ハウジング１４Ｌの中の側部セグメント３２Ｕおよび３２Ｌが示されている。図では、６個のセグメントが示されており、上側ハウジング１４Ｕの中に３個のセグメントが設けられ、下側ハウジング１４Ｌの中に３個のセグメントが設けられている。本発明より以前では、セグメントは理論的には全て、シャフトの周りで閉位置と開位置との間を半径方向内向きおよび外向きに移動するとされていた。しかし、セグメントは運転停止中または始動中に重力によって変位することがあるので、下側ハウジング１４Ｌ内のセグメント、特に最も下側のセグメントはその閉位置まで内向きに動かないことがあることが判明した。前に説明したように、これは、セグメントが重力の下で溝内を円周方向下向きに摺動し、セグメントが開位置にあるとき、上側ハウジング１４Ｕ内のセグメント間のギャップが大きくなり、且つ下側ハウジング１４Ｌ内のセグメント間のギャップが殆ど無くなることに起因する。この問題を防止するため、ブラケットすなわち支持部材５８を設けて、これにより下側ハウジング１４Ｌの側部セグメント３２Ｌが重力により溝内を下向きに変位しないように側部セグメント３２Ｌを支持すると同時に、それらのセグメントが回転シャフトに対して開位置と閉位置との間を移動できるようにした。図６には、本発明による、上側のセグメントおよび最も下側のセグメントの半径方向の動きが矢印９０で示されている。下側ハウジング１４Ｌの側部セグメント３２Ｌは矢印９２で示すように水平方向に移動する。前に述べたように、上側の側部セグメント３２Ｕは小さな水平方向運動成分を有し得る。側部セグメント３２Ｌの水平方向に移動により閉位置でのシャフトの周りのセグメントのシール面の同心性が僅かに損なわれること、すなわち側部セグメント３２Ｌの上端がその下端よりも回転シャフトに一層近づくことがあるが、この構成では、上側のセグメント３２Ｕと同様に、下側ハウジング１４Ｌの下側セグメントを半径方向内向きおよび外向きに移動させることが出来る。
【００２１】
本発明を最も実用的で好ましいと考えられる実施態様について詳述したが、本発明はこの実施態様に限定されず、特許請求の範囲に記載された本発明の趣旨および範囲内に含まれる種々の変更および等価な構成を包含するものであることを理解されたい。
【図面の簡単な説明】
【図１】回転機械の一部分をその軸に沿って切った断面図で、ラビリンス・シールを示す。
【図２】回転機械の一方の側部を軸方向に見た断面図で、回転機械の不動の上側および下側ハウジング内のシール・リングの上側および下側の側部セグメントを示す。
【図３】図２の線３−３に沿って見た断面図である。
【図４】図２の線４−４に沿って見た断面図である。
【図５】図２と同様な図であるが、下側の側部セグメントおよびセグメント案内部材のみを示す断面図である。
【図６】本発明による回転機械のセグメントの移動方向を例示する回転機械の簡略断面図である。
【符号の説明】
１０    蒸気タービン
１４    タービン・ハウジング
１４Ｕ    上側ハウジング
１４Ｌ    下側ハウジング
１６    ラビリンス・シール
１８、２０、２２    シール・リング
３２    シール・リングのセグメント
３２Ｕ、３２Ｌ    側部セグメント
３４    シール面
４０    位置決め用フランジ
４２    溝
４４    位置決め用フランジ
４６    スロット
４８    首部
５４    溝
５６    ストッパ
５８    支持部材
６０、６２    脚部
６４    ボルト
６６    突起
６８    押しネジ
【図１】
0004117927.tif 000002
【図２】
0004117927.tif 000003
【図３】
0004117927.tif 000004
【図４】
0004117927.tif 000005
【図５】
0004117927.tif 000006
【図６】
0004117927.tif 000007